(57)【特許請求の範囲】
【請求項１】
三脚安定バッグおよび三脚持ち運びバッグの両方として使用可能な多機能バッグであって、
上面開口を有するバッグ本体と、
このバッグ本体に取り付けられた持ち運び用バンド体とを備え、
前記バッグ本体は、
バッグ本体部と、
このバッグ本体部に設けられた折り畳みおよび展開可能な折畳展開部と、
三脚に脱着可能に取り付けられるバッグ取付部とを有し、
前記三脚安定バッグとして使用する際には、前記折畳展開部の展開により前記上面開口が広げられるとともに、前記バッグ取付部が前記三脚に取り付けられ、
前記三脚持ち運びバッグとして使用する際には、前記折畳展開部の折り畳みにより前記上面開口が狭められるともに、前記バッグ取付部が前記三脚から取り外される
ことを特徴とする多機能バッグ。
【請求項２】
バッグ本体は、
バッグ本体部に形成された撮影用開口部と、
前記バッグ本体部の一部を構成し、前記撮影用開口部を開閉する開閉部とを有する
ことを特徴とする請求項１記載の多機能バッグ。
【請求項３】
持ち運び用バンド体は、
バンド本体部と、
三脚に脱着可能に取り付けられるバンド取付部とを有する
ことを特徴とする請求項１または２記載の多機能バッグ。
【請求項４】
バッグ本体部は、
一方側結合縁部を有する第１シートと、
他方側結合縁部を有する第２シートと、
前記一方側結合縁部と前記他方側結合縁部とを結合および結合解除する結合手段とを有し、
折畳展開部は、前記第１シートと前記第２シートとの間に設けられ一方側固着縁部および他方側固着縁部を有する折畳展開シートを有し、
前記折畳展開シートの一方側固着縁部が前記一方側結合縁部に固着され、前記折畳展開シートの他方側固着縁部が前記他方側結合縁部に固着されている
ことを特徴とする請求項１ないし３のいずれか一記載の多機能バッグ。
【発明の詳細な説明】
【技術分野】
【０００１】
本発明は、三脚安定バッグおよび三脚持ち運びバッグの両方として使用できる多機能バッグに関するものである。
【背景技術】
【０００２】
例えば風が強い等、撮影条件が悪いときは、撮影者は、三脚が倒れないようその脚部を自らの手で保持して安定させなければならず、撮影作業が煩雑となる。そこで、従来から、撮影条件が悪い際には、下記の実用新案登録第３０５３０２０号公報に記載されたような三脚安定バッグが用いられる。
【０００３】
この従来の三脚安定バッグは、平面視略三角形状をなす上面開口状のバッグ本体と、バッグ本体の３つの角部から延びたバッグ取付用バンド体とにて構成されている。そして、バッグ取付用バンド体を三脚の脚部に取り付け、バッグ本体内に錘となる石や交換レンズ等を入れることにより、三脚の安定化が図られる。
【特許文献１】実用新案登録第３０５３０２０号公報
【発明の開示】
【発明が解決しようとする課題】
【０００４】
しかしながら、上記従来の三脚安定バッグは、三脚の安定化を図るための専用バッグであり、他の用途としては使用することができない。
【０００５】
本発明は、このような点に鑑みなされたもので、三脚安定バッグおよび三脚持ち運びバッグの両方として使用できる多機能バッグを提供することを目的とする。
【課題を解決するための手段】
【０００６】
請求項１記載の多機能バッグは、三脚安定バッグおよび三脚持ち運びバッグの両方として使用可能な多機能バッグであって、上面開口を有するバッグ本体と、このバッグ本体に取り付けられた持ち運び用バンド体とを備え、前記バッグ本体は、バッグ本体部と、このバッグ本体部に設けられた折り畳みおよび展開可能な折畳展開部と、三脚に脱着可能に取り付けられるバッグ取付部とを有し、前記三脚安定バッグとして使用する際には、前記折畳展開部の展開により前記上面開口が広げられるとともに、前記バッグ取付部が前記三脚に取り付けられ、前記三脚持ち運びバッグとして使用する際には、前記折畳展開部の折り畳みにより前記上面開口が狭められるともに、前記バッグ取付部が前記三脚から取り外されるものである。
【０００７】
請求項２記載の多機能バッグは、請求項１記載の多機能バッグにおいて、バッグ本体は、バッグ本体部に形成された撮影用開口部と、前記バッグ本体部の一部を構成し、前記撮影用開口部を開閉する開閉部とを有するものである。
【０００８】
請求項３記載の多機能バッグは、請求項１または２記載の多機能バッグにおいて、持ち運び用バンド体は、バンド本体部と、三脚に脱着可能に取り付けられるバンド取付部とを有するものである。
【０００９】
請求項４記載の多機能バッグは、請求項１ないし３のいずれか一記載の多機能バッグにおいて、バッグ本体部は、一方側結合縁部を有する第１シートと、他方側結合縁部を有する第２シートと、前記一方側結合縁部と前記他方側結合縁部とを結合および結合解除する結合手段とを有し、折畳展開部は、前記第１シートと前記第２シートとの間に設けられ一方側固着縁部および他方側固着縁部を有する折畳展開シートを有し、前記折畳展開シートの一方側固着縁部が前記一方側結合縁部に固着され、前記折畳展開シートの他方側固着縁部が前記他方側結合縁部に固着されているものである。
【発明の効果】
【００１０】
請求項１に係る発明によれば、折畳展開部の展開により上面開口が広げられたバッグ本体内に錘となる石や交換レンズ等を入れることで多機能バッグが三脚安定バッグとして機能し、折畳展開部の折り畳みにより上面開口が狭められたバッグ本体内に三脚の脚部等を入れることで多機能バッグが三脚持ち運びバッグとして機能するため、三脚安定バッグおよび三脚持ち運びバッグの両方として使用できる。
【００１１】
請求項２に係る発明によれば、バッグ本体の撮影用開口部を開口させることができるため、三脚安定バッグおよび三脚持ち運びバッグのみならず、雨よけカバーとしても使用できる。
【００１２】
請求項３に係る発明によれば、バンド取付部を三脚に取り付けた持ち運び用バンド体を利用して、三脚を容易に持ち運ぶことができる。
【００１３】
請求項４に係る発明によれば、結合手段にて第１シートの一方側結合縁部と第２シートの他方側結合縁部とを結合することにより折畳展開シートの折畳状態を適切に維持できる。
【発明を実施するための最良の形態】
【００１４】
本発明の多機能バッグの一実施の形態を図面を参照して説明する。
【００１５】
図１ないし図４において、１は多機能バッグで、この多機能バッグ１は、三脚安定バッグおよび三脚持ち運びバッグに加え、雨よけカバーとしても使用可能な袋である。すなわち多機能バッグ１は、ストーンバック、レッグポシェットおよびカメラレインコートとして使用可能なものである。
【００１６】
多機能バッグ１は、柔軟性および防水性を有する上面開口状のバッグ本体２と、バッグ本体２に脱着可能に取り付けられた長手状の持ち運び用バンド体である肩掛バンド体３とを備えている。
【００１７】
バッグ本体２は、略円形状の上面開口５を有する有底筒状のもので、下方に向って縮径する略截頭円錐面状の円錐状態と上縁から下縁にわたって外径が略同じ略円筒面状の円筒状態とに切換可能な上下面開口状の周壁部６と、略円形状の底面部７にて構成されている。
【００１８】
また、バッグ本体２は、円錐状態の周壁部６の一部（或いは円筒状態の周壁部６の全部）と底面部７とを構成するバッグ本体部11を備えている。そして、バッグ本体部11には、円錐状態の周壁部６の一部を構成し折り畳みおよび展開可能で折り畳みにより上面開口５を広げる折畳状態になり展開により上面開口５を狭める展開状態になるシート状の折畳展開部12が設けられている。
【００１９】
ここで、バッグ本体部11は、円錐状態の周壁部６の一部を構成する略矩形状の複数枚、例えば３枚のシート、つまり第１シート16、第２シート17および第３シート18と、底面部７を構成する略円形状の底シート20とを備えている。なお、底シート20内には補強パッド（図示せず）が設けられている。
【００２０】
第１シート16、第２シート17および第３シート18は、いずれも長手方向に沿った一縁部に一方側結合縁部16a，17a，18aを有し、長手方向に沿った他縁部に他方側結合縁部16b，17b，18bを有している。また、互いに隣接するシート16，17，18の下縁部同士が連結されている。さらに、シート16，17，18の上部内には伸縮可能な弾性体である平ゴム15が設けられ、この平ゴム15によりギャザー部14が形成されている。
【００２１】
また、シート16，17，18の上縁部における短手方向中央部内面には、三脚21の脚部22に取付手段25を介して脱着可能に取り付けられる環状のバッグ取付部26が設けられている。各バッグ取付部26は、例えばシート16，17，18の上縁部内面に固着された環状の取付用紐部材27にて構成されている。取付手段25は、図１に示されるように、例えば三脚21の脚部22に脱着可能に取り付けられた環状部材28と、この環状部材28に取り付けられ取付用紐部材27と係脱可能に引掛係合する引掛部材29とにて構成されている。引掛部材29は、略Ｊ字状のフック部29aと、このフック部29aの開口を開閉する回動片部29bとを有している。
【００２２】
また一方、バッグ本体部11は、第１シート16の一方側結合縁部16aと第２シート17の他方側結合縁部17bとを結合および結合解除する第１結合手段（結合手段）31と、第２シート17の一方側結合縁部17aと第３シート18の他方側結合縁部18bとを結合および結合解除する第２結合手段32と、第３シート18の一方側結合縁部18aと第１シート16の他方側結合縁部16bとを結合および結合解除する第３結合手段33とを備えている。
【００２３】
第１結合手段31、第２結合手段32および第３結合手段33は、いずれも例えば線状のファスナーにて構成されている。すなわち、各結合手段31，32，33は、１列に並んだ多数の務歯を有する一方の帯状係合部材34と、１列に並んだ多数の務歯を有する他方の帯状係合部材35と、務歯同士を噛み合わせたりその噛み合わせを解いたりすることにより両帯状係合部材34，35同士を係脱する移動部材であるスライダ36とにて構成されている。一方の帯状係合部材34は各シート16，17，18の一方側結合縁部16a，17a，18aにこの一方側結合縁部16a，17a，18aに沿って固着され、他方の帯状係合部材35は各シート16，17，18の他方側結合縁部16b，17b，18bにこの他方側結合縁部16b，17b，18bに沿って固着されている。なお、これら３つの結合手段31，32，33にて、バッグ本体２の周壁部６を円筒状態に保持する保持手段40が構成されている。
【００２４】
また、図５および図８等に示されるように、バッグ本体２は、バッグ本体部11の底部分に形成され多機能バッグ１を雨よけカバーとして使用する際にカメラ等の撮影装置10の一部、例えばレンズ部10aを外部に露出させるための略円形状の撮影用開口部41と、バッグ本体部11の一部、すなわち例えば底面部７を構成し開状態となって撮影用開口部41を開口させ閉状態となって撮影用開口部41を閉鎖する略円形板状の開閉部42と、この開閉部42を閉状態に保持する保持手段43とを有している。
【００２５】
撮影用開口部41は、バッグ本体２の周壁部６の下面開口にて構成されている。開閉部42は、バッグ本体部11の底シート20にて構成されており、この底シート20の一部が周壁部６の下縁部に連結されている。
【００２６】
また、保持手段43は、底シート20である底面部７の外周縁部と周壁部６の下縁部とを結合および結合解除するもので、例えば線状のファスナーにて構成されている。すなわち、保持手段43は、１列に並んだ多数の務歯を有する一方の帯状係合部材44と、１列に並んだ多数の務歯を有する他方の帯状係合部材45と、務歯同士を噛み合わせたりその噛み合わせを解いたりすることにより両帯状係合部材44，45同士を係脱する移動部材であるスライダ46とにて構成されている。一方の帯状係合部材44は底シート20の外周縁部にこの外周縁部に沿って固着され、他方の帯状係合部材45は３つのシート16，17，18の下縁部つまり周壁部６の下縁部にこの下縁部に沿って固着されている。
【００２７】
なお、バッグ本体２の周壁部６の撮影用開口部41に臨んだ部分、つまり周壁部６の下縁部内面には、この周壁部６の下縁部内面を撮影装置10の一部に止着する止着手段47が設けられている。止着手段47は、例えば周壁部６の下縁部内面に折り返された状態で固着された袋状の止着用シート48と、この止着用シート48内に挿通された紐部材49と、この紐部材49のうち止着用シート48内に位置する部分の長さを調節するための調節部材50とにて構成されている。
【００２８】
折畳展開部12は、第１シート16と第２シート17との間に設けられた折り畳みおよび展開可能な第１折畳展開シート（折畳展開シート）51と、第２シート17と第３シート18との間に設けられた折り畳みおよび展開可能な第２折畳展開シート52と、第３シート18と第１シート16との間に設けられた折り畳みおよび展開可能な第３折畳展開シート53とを備えている。
【００２９】
第１折畳展開シート51、第２折畳展開シート52および第３折畳展開シート53は、いずれも三角形状、例えば略二等辺三角形状のもので、長辺に沿った一縁部に一方側固着縁部51a，52a，53aを有し、長辺に沿った他縁部に他方側固着縁部51b，52b，53bを有している。そして、図３等に示されるように、折畳展開シート51，52，53の一方側固着縁部51a，52a，53aがシート16，17，18の一方側結合縁部16a，17a，18aに固着され、折畳展開シート51，52，53の他方側固着縁部51b，52b，53bがシート16，17，18の他方側結合縁部16b，17b，18bに固着されている。
【００３０】
また、各折畳展開シート51，52，53は、２枚のシート部材54，55が連結されて構成され、これら両シート部材54，55の連結部分が折れ線部56となっている。そして、各折畳展開シート51，52，53は、折れ線部56に沿って略半分の大きさに折り畳まれ、周壁部６の内面に沿って位置する折畳状態となる（図４参照）。
【００３１】
この図４に示す折畳展開シート51，52，53の折畳状態は保持手段61にて保持されている。折畳展開シート51，52，53を折畳状態に保持する保持手段61は、例えば面状のファスナーにて構成されている。すなわち、保持手段61は、フック側係合部材62と、このフック側係合部材62と係脱可能に係合するループ側係合部材63とにて構成されている。フック側係合部材62は、各シート16，17，18の上縁部における短手方向中央部内面に固着されている。ループ側係合部材63は、各折畳展開シート51，52，53の上縁部内面における中央から一方側固着縁部51a，52a，53a側にずれた部分に固着されている。
【００３２】
なお、第１折畳展開シート51の上部には、切欠部65が上縁から上下方向略中央にわたって形成され、この切欠部65は線状のファスナー等の開閉手段66によって開閉可能となっている。また、第１シート16の外面には、小物等を収納するためのポケット部67が設けられ、このポケット部67は線状のファスナー等の開閉手段によって開閉可能となっている。
【００３３】
肩掛バンド体３は、一端部である基端部がバッグ本体２の周壁部６の下縁部外面に固着された細長い帯状のバンド本体部71と、このバンド本体部71の他端部である先端部に設けられ三脚21の上端部に取付手段73を介して脱着可能に取り付けられるバンド取付部72とを備えている。
【００３４】
バンド本体部71は、操作部材74を操作することにより長さ調節可能となっている。バンド本体部71は、他の部分より幅広状の肩当部70を有している。また、バンド取付部は、例えば３つの突片75を有する取付用係合部材76にて構成されている。取付手段73は、図７に示されるように、例えば三脚21の上端部に取付板（図示せず）を介して取り付けられた帯状部材77と、この帯状部材77にて保持され取付用係合部材76と係脱可能に係合する係合受け部材78とにて構成されている。
【００３５】
なお、取付手段73は、図７では三脚21の上端面と雲台23の下面とで挟持されることにより三脚21の上端部に取り付けられているが、例えば取付棒を介して三脚21の上端部側面に取り付けるようにしてもよい。
【００３６】
次に、上記多機能バッグ１の作用等を説明する。
【００３７】
多機能バッグ１を三脚安定バッグとして使用する場合について説明する。
【００３８】
図６に示すように、多機能バッグ１を三脚安定バッグとして使用する際には、まず、折畳展開部12の展開、つまり折畳展開シート51，52，53の展開によりバッグ本体２の上面開口５を三脚持ち運びバッグとしての使用時よりも広げて、バッグ本体２の周壁部６を円錐状態する。すなわち、結合手段31，32，33のスライダ36の移動操作により両帯状係合部材34，35同士の係合を解除し、その後、互いに隣接するシート16，17，18を離反方向に向けて引っ張るようにしてフック側係合部材62とループ側係合部材63との係合を解除し、折畳展開シート51，52，53を略平面状にする。
【００３９】
次いで、バッグ本体２のバッグ取付部26を三脚21の脚部22に取付手段25を介して取り付けるとともに、肩掛バンド体３のバンド取付部72を三脚21の上端部に取付手段73を介して取り付ける。
【００４０】
なお、取付手段25，73は、予め三脚21に取り付けておく。肩掛バンド体３のバンド取付部72は、三脚21の上端部に必ずしも取り付ける必要はない。また、開閉部42である底シート20は撮影用開口部41を閉鎖した閉状態になっている。
【００４１】
そして、折畳展開部12の展開により上面開口５が広げられたバッグ本体２内に錘となる石や交換レンズ等を入れることで、多機能バッグ１が三脚安定バッグとして機能し、三脚の安定化を図ることができる。
【００４２】
多機能バッグ１を三脚持ち運びバッグとして使用する場合について説明する。
【００４３】
図７に示すように、多機能バッグ１を三脚持ち運びバッグとして使用する際には、バッグ本体２のバッグ取付部26を三脚21の脚部22から取り外した後、折畳展開部12の折り畳み、つまり折畳展開シート51，52，53の折り畳みによりバッグ本体２の上面開口５を三脚安定バッグとしての使用時よりも狭めて、バッグ本体２の周壁部６を円筒状態にする。
【００４４】
すなわち、結合手段31，32，33のスライダ36の移動操作により両帯状係合部材34，35同士を係合させると、折畳展開シート51，52，53は自然に略折り畳まれる。そして、折畳展開シート51，52，53が周壁部６の内面に沿って位置するようにその折畳展開シート51，52，53の折畳状態を修正しつつ、フック側係合部材62とループ側係合部材63とを係合させる。なお、開閉部42である底シート20は撮影用開口部41を閉鎖した閉状態になっている。
【００４５】
次いで、三脚21の脚部22を上面開口５からバッグ本体２内に挿入し、その後、肩掛バンド体３のバンド取付部72を三脚21の上端部に取付手段73を介して取り付ける。こうして、多機能バッグ１が三脚持ち運びバッグとして機能し、三脚21を容易に持ち運ぶことができる。
【００４６】
多機能バッグ１を雨よけカバーとして使用する場合について説明する。
【００４７】
図８に示すように、多機能バッグ１を雨よけカバーとして使用する際には、バッグ取付部26が三脚21の脚部22から取り外されかつバンド取付部72が三脚21の上端部から取り外された状態で、折畳展開部12の展開、つまり折畳展開シート51，52，53の展開によりバッグ本体２の上面開口５を三脚持ち運びバッグとしての使用時よりも広げて、バッグ本体２の周壁部６を円錐状態する。
【００４８】
また、保持手段43のスライダ46の移動操作により一方の帯状係合部材44と他方の帯状係合部材45との係合を解除し、開閉部42である底シート20を開状態にして、バッグ本体２の撮影用開口部41を開口させる。また、必要に応じて開閉手段66を操作して第１折畳展開シート51の切欠部65を開く。
【００４９】
そして、バッグ本体２の円錐状態の周壁部６で撮影装置10の略全体を覆うとともに、撮影装置10のレンズ部10aを撮影用開口部41を介して外部に露出させる。
【００５０】
また、止着手段47によってバッグ本体２の周壁部６の下縁部内面を撮影装置10のレンズ部10aの外周面に止着する。こうして、多機能バッグ１が雨よけカバーとして機能し、撮影装置10の本体部10bは雨に濡れない。
【００５１】
このように、多機能バッグ１は、三脚安定バッグにもなり、三脚持ち運びバッグにもなり、雨よけカバーにもなるため、それぞれの専用バッグを持つ必要がない。
【００５２】
なお、上記実施の形態では、バッグ本体部11に撮影用開口部41を形成し、この撮影用開口部41を開閉部42で開閉する構成について説明したが、例えば撮影用開口部41および開閉部42を有しない構成でもよい。
【００５３】
また、折畳展開部12が３枚の折畳展開シート51，52，53を有する構成には限定されず、折畳展開シートの枚数は任意で、１枚、２枚或いは４枚以上でもよく、この場合にはバッグ本体部11のシートの数もそれに対応させる必要がある。
【００５４】
さらに、折畳展開部12は、例えば複数本の帯状部材や線状部材等にて構成することもできる。
【００５５】
また、肩掛バンド体３等の持ち運び用バンド体は、一端部をバッグ本体２に取り付け、他端部を三脚21側に取り付けるものには限定されず、例えば一端部をバッグ本体２の上側に取り付け、他端部をバッグ本体２の下側に取り付けるもの等でもよい。
【００５６】
さらに、持ち運び用バンド体のバンド取付部72は、三脚21に雲台23等を介して取り付けるものや、三脚21の上端部に直接取り付けるもの等でもよい。
【００５７】
また、バッグ本体２のバッグ取付部26は、例えばバンド等にて構成し、三脚21の脚部22に直接取り付けるようにしてもよい。
【図面の簡単な説明】
【００５８】
【図１】本発明の一実施の形態に係る多機能バッグの上面開口を広げた状態の斜視図である。
【図２】同上多機能バッグの上面開口を狭めた状態の正面図である。
【図３】同上多機能バッグの上面開口を広げた状態の平面図である。
【図４】同上多機能バッグの上面開口を狭めた状態の平面図である。
【図５】同上多機能バッグの撮影用開口部を開口させた状態の底面図である。
【図６】同上多機能バッグを三脚安定用バッグとして使用した状態の図である。
【図７】同上多機能バッグを三脚持ち運び用バッグとして使用した状態の図である。
【図８】同上多機能バッグを雨よけカバーとして使用した状態の図である。
【符号の説明】
【００５９】
１    多機能バッグ
２    バッグ本体
３    持ち運び用バンド体である肩掛バンド体
５    上面開口
11    バッグ本体部
12    折畳展開部
16    第１シート
16a    一方側結合縁部
17    第２シート
17b    他方側結合縁部
21    三脚
26    バッグ取付部
31    結合手段である第１結合手段
41    撮影用開口部
42    開閉部
51    折畳展開シートである第１折畳展開シート
71    バンド本体部
72    バンド取付部
【図１】
0004366418.tif 000002
【図２】
0004366418.tif 000003
【図３】
0004366418.tif 000004
【図４】
0004366418.tif 000005
【図５】
0004366418.tif 000006
【図６】
0004366418.tif 000007
【図７】
0004366418.tif 000008
【図８】
0004366418.tif 000009